(57)【特許請求の範囲】
【請求項１】
洗浄タンクに貯留された洗浄水を用いて被洗浄物を洗浄する洗浄工程と貯湯タンクに貯留された濯ぎ水を用いて前記被洗浄物をすすぐ濯ぎ工程とを有する洗浄運転を行い、前記洗浄工程で使用した前記洗浄水及び前記濯ぎ工程で使用した前記濯ぎ水を前記洗浄タンクに回収して前記洗浄工程において再利用する洗浄機であって、
前記洗浄タンクに貯留される洗浄水の汚れ具合の指標が第１規定値に到達したか否か判定する第１判定部と、
前記洗浄運転の稼働状況が閑散状態であるか否かを判定する第２判定部と、を備え、
前記第１判定部によって前記洗浄水の汚れ具合が前記第１規定値に到達したと判定されると共に、前記第２判定部によって前記洗浄運転の稼働状況が閑散状態であると判定された場合に、前記洗浄タンクに貯留される洗浄水の入れ替えを実施する、洗浄機。
【請求項２】
洗浄タンクに貯留された洗浄水を用いて被洗浄物を洗浄する洗浄工程と貯湯タンクに貯留された濯ぎ水を用いて前記被洗浄物をすすぐ濯ぎ工程とを有する洗浄運転を行い、前記洗浄工程で使用した前記洗浄水及び前記濯ぎ工程で使用した前記濯ぎ水を前記洗浄タンクに回収して前記洗浄工程において再利用する洗浄機であって、
前記洗浄タンクに貯留される洗浄水の汚れ具合の指標が第１規定値に到達したか否か判定する第１判定部と、
前記洗浄運転の稼働状況が閑散状態であるか否かを判定する第２判定部と、を備え、
前記第１判定部によって前記洗浄水の汚れ具合が前記第１規定値に到達したと判定されると共に、前記第２判定部によって前記洗浄運転の稼働状況が閑散状態であると判定された場合に、前記洗浄タンクに貯留される洗浄水を排出する、洗浄機。
【請求項３】
前記洗浄水の汚れ具合の指標は、前記洗浄運転の運転時間を積算した積算運転時間及び／又は運転回数を積算した積算運転回数である、請求項１又は２記載の洗浄機。
【請求項４】
前記第２判定部は、前記第１判定部によって前記洗浄水の汚れ具合の指標が前記第１規定値に到達したと判定された前記洗浄運転が終了した時から前記洗浄運転が実施されない時間が規定時間に到達した場合に、前記洗浄運転の稼働状況が前記閑散状態であると判定する、請求項１〜３の何れか一項記載の洗浄機。
【請求項５】
前記第２判定部は、現在の時刻が、予め設定された前記洗浄タンクに貯留される水の入れ替えが許可される入替許可時間帯に属する場合に、前記洗浄運転の稼働状況が前記閑散状態であると判定する、請求項１〜４の何れか一項記載の洗浄機。
【請求項６】
前記現在の時刻が、前記入替許可時間帯が終了する前の所定の終了時間帯であり、かつ、前記洗浄水の汚れ具合の指標と前記第１規定値との差が規定範囲内であるか否かを判定する第３判定部を更に備え、
前記第３判定部によって、前記現在の時刻が前記終了時間帯に属していると判定されると共に、前記差が前記規定範囲内であると判定された場合に、前記洗浄タンクに貯留される洗浄水の入れ替えを前倒しで実施する、請求項５記載の洗浄機。
【請求項７】
前記洗浄水の汚れ具合の指標が前記第１規定値よりも大きな第２規定値へ到達したか否かを判定する第４判定部を更に備え、
前記第４判定部によって前記洗浄水の汚れ具合の指標が前記第２規定値へ到達したと判定された場合には、前記洗浄タンクに貯留される洗浄水の入れ替えを強制的に実施する、請求項１〜６の何れか一項記載の洗浄機。
【請求項８】
前記洗浄タンクに貯留されている洗浄水を排出する排水部と、
前記洗浄タンクに濯ぎ水を供給する給水部と、
前記排水部を制御して前記タンクに貯留されている洗浄水を排出させた後、前記給水部を制御して前記洗浄タンクに前記濯ぎ水を供給させることによって、前記洗浄タンクに貯留される洗浄水の入れ替えを実施する制御部と、
を更に備えている、請求項１〜７の何れか一項記載の洗浄機。
【請求項９】
前記洗浄タンクに貯留される洗浄水の入れ替えの実施の有無を決定するための各種設定値の入力を使用者から受け付け可能な設定入力部を更に備えている、請求項１〜８の何れか一項記載の洗浄機。
【請求項１０】
前記第１規定値に到達前の所定の時間帯である第１時間帯、前記閑散状態であるとの判定によって前記洗浄水の排出が開始される前の所定の時間帯である第２時間帯、及び前記第１時間帯と前記第２時間帯との間の第３時間帯であることをそれぞれ報知する報知部を更に備え、
前記報知部は、前記第１時間帯、前記第２時間帯及び前記第３時間帯において互いに報知方法を変更する、請求項１〜９の何れか一項記載の洗浄機。
【発明の詳細な説明】
【技術分野】
【０００１】
本発明は、被洗浄物を洗浄した洗浄水及び被洗浄物を濯いだ濯ぎ水を回収して洗浄水として再利用する洗浄機に関する。
【背景技術】
【０００２】
従来、食器等の被洗浄物を洗浄した洗浄水及び被洗浄物を濯いだ濯ぎ水を洗浄タンク内に回収し、洗浄水として再利用する洗浄機が知られている。このような洗浄機では、洗浄タンク内の洗浄水の完全な入れ替えが行われないため汚れが蓄積し、これらの汚れの蓄積によって洗浄ノズル又は配管に詰まりが生じるなど、洗浄能力が低下するおそれがあった。
【０００３】
このような課題を解決するための洗浄機が特許文献１に開示されている。すなわち、特許文献１には、洗浄運転の時間を積算した積算運転時間及び／又は洗浄運転の回数を積算した積算運転回数が所定値となった場合に、洗浄タンク内の洗浄水を自動的に排出し、排出された洗浄タンクに新たな洗浄水を供給する制御がなされる洗浄機が開示されている。
【先行技術文献】
【特許文献】
【０００４】
【特許文献１】特開２０１２−１７９３０７号公報
【発明の概要】
【発明が解決しようとする課題】
【０００５】
しかしながら、上記従来の洗浄機では、所定の積算運転時間及び／又は積算運転回数になると、自動的に洗浄タンク内の洗浄水を入れ替える動作が開始されるので、引き続き被洗浄物の洗浄をしたい場合であっても、洗浄水の入れ替え動作が完了するまで待たなければならないことがあった。
【０００６】
そこで、本発明の目的は、洗浄能力の低下を抑制しながらも、洗浄機の使用状況に応じた適切なタイミングで洗浄タンクに貯留される洗浄水の入れ替えが可能になる洗浄機を提供することにある。
【課題を解決するための手段】
【０００７】
本発明の洗浄機は、洗浄タンクに貯留された洗浄水を用いて被洗浄物を洗浄する洗浄工程と貯湯タンクに貯留された濯ぎ水を用いて被洗浄物をすすぐ濯ぎ工程とを有する洗浄運転を行い、洗浄工程で使用した洗浄水及び濯ぎ工程で使用した濯ぎ水を洗浄タンクに回収して洗浄工程において再利用する洗浄機であって、洗浄タンクに貯留される洗浄水の汚れ具合の指標が第１規定値に到達したか否か判定する第１判定部と、洗浄運転の稼働状況が閑散状態であるか否かを判定する第２判定部と、を備え、第１判定部によって洗浄水の汚れ具合が第１規定値に到達したと判定されると共に、第２判定部によって洗浄運転の稼働状況が閑散状態であると判定された場合に、洗浄タンクに貯留される洗浄水の入れ替えを実施する。
【０００８】
この構成の洗浄機では、洗浄水の汚れ具合の指標が第１規定値へ到達した場合であってもすぐに洗浄タンクに貯留された洗浄水を入れ替えることはせずに、洗浄運転の稼働状況が閑散状態であると判定された場合にのみ、洗浄タンクに貯留された洗浄水を入れ替える。これにより、洗浄機が短い間隔（高頻度）で繰り返し使用されるような状況では、すぐに洗浄水の入れ替えが実施されることなく、時間をずらして洗浄水の入れ替えが実施される。この結果、洗浄能力の低下を抑制しながらも、洗浄機の使用状況に応じた適切なタイミングで洗浄タンクに貯留される洗浄水の入れ替えが可能になる。
【０００９】
本発明の洗浄機は、洗浄タンクに貯留された洗浄水を用いて被洗浄物を洗浄する洗浄工程と貯湯タンクに貯留された濯ぎ水を用いて被洗浄物をすすぐ濯ぎ工程とを有する洗浄運転を行い、洗浄工程で使用した洗浄水及び濯ぎ工程で使用した濯ぎ水を洗浄タンクに回収して洗浄工程において再利用する洗浄機であって、洗浄タンクに貯留される洗浄水の汚れ具合の指標が第１規定値に到達したか否か判定する第１判定部と、洗浄運転の稼働状況が閑散状態であるか否かを判定する第２判定部と、を備え、第１判定部によって洗浄水の汚れ具合が第１規定値に到達したと判定されると共に、第２判定部によって洗浄運転の稼働状況が閑散状態であると判定された場合に、洗浄タンクに貯留される洗浄水の排出を実施する。
【００１０】
この構成の洗浄機では、洗浄水の汚れ具合の指標が第１規定値へ到達した場合であってもすぐに洗浄タンクに貯留された洗浄水を排出することはせずに、洗浄運転の稼働状況が閑散状態であると判定された場合にのみ、洗浄タンクに貯留された洗浄水を排出する。これにより、洗浄機が短い間隔（高頻度）で繰り返し使用されるような状況では、すぐに洗浄水の排出が実施されることなく、時間をずらして洗浄水の排出が実施される。この結果、洗浄能力の低下を抑制しながらも、洗浄機の使用状況に応じた適切なタイミングで洗浄タンクに貯留される洗浄水を排出し、洗浄タンクに水を供給することが可能になる。すなわち、適切なタイミングで洗浄タンクに貯留される洗浄水の入れ替えが可能になる。
【００１１】
本発明の洗浄機では、洗浄水の汚れ具合の指標は、洗浄運転の運転時間を積算した積算運転時間及び／又は運転回数を積算した積算運転回数であってもよい。
【００１２】
このような構成の洗浄機では、通常、積算運転時間及び／又は積算運転回数が大きくなるほど、洗浄水の汚れ具合がひどくなる。したがって、この構成の洗浄機では、積算運転時間及び／又は積算運転回数を取得することにより、洗浄水の汚れ具合を直接測定するような高価なセンサ等を設けることなく、精度の高い洗浄水の汚れ具合の指標を得ることができる。
【００１３】
本発明の洗浄機では、第２判定部は、第１判定部によって洗浄水の汚れ具合の指標が第１規定値に到達したと判定された洗浄運転が終了した時から洗浄運転が実施されない時間が規定時間に到達した場合に、洗浄運転の稼働状況が閑散状態であると判定してもよい。
【００１４】
このような構成の洗浄機では、通常、洗浄運転の稼働状況が閑散状態になると、洗浄運転のサイクル間隔が長くなる。したがって、この構成の洗浄機では、洗浄運転が終了してから洗浄運転が実施されない時間、すなわち待機時間を測定することにより、容易に洗浄運転の稼働状況を判定することができるようになる。
【００１５】
本発明の洗浄機では、第２判定部は、現在の時刻が、予め設定された洗浄タンクに貯留される水の入れ替えが許可される入替許可時間帯に属する場合に、洗浄運転の稼働状況が閑散状態であると判定してもよい。
【００１６】
なお、現在時刻が入替許可時間帯に属するとの判定は、「洗浄タンクに貯留される洗浄水の入れ替えを許可できる時間帯（入替許可時間帯）」を予め記憶しておき、現在時刻が当該入替許可時間帯に属していることを確認したり、「洗浄タンクに貯留される洗浄水の入れ替えを禁止する時間帯（入替禁止時間帯）」を予め記憶しておき、当該入替禁止時間帯に属していないことを確認したりすることにより判定できる。
【００１７】
この構成の洗浄機では、たとえ洗浄水の汚れ具合の指標が第１規定値へ到達したと判定された洗浄運転の終了時から洗浄運転が実施されない時間が規定時間に到達したとしても、現在時刻が入替許可時間帯に属していない場合には、洗浄タンクに貯留されている洗浄水の入れ替えが実施されない。すなわち、洗浄機の使用頻度が高くない時間帯である入替許可時間帯にのみ洗浄タンク内の水の入れ替えを許可することにより、洗浄機が短い間隔で繰り返し使用されるような状況において、洗浄水の入れ替えが実施されることをより確実に回避できるようになる。
【００１８】
本発明の洗浄機では、現在の時刻が、入替許可時間帯が終了する前の所定の終了時間帯であり、かつ、洗浄水の汚れ具合の指標と第１規定値との差が規定範囲内であるか否かを判定する第３判定部を更に備え、第３判定部によって、現在の時刻が終了時間帯に属していると判定されると共に、上記差が規定範囲内であると判定された場合に、洗浄タンクに貯留される洗浄水の入れ替えを前倒しで実施してもよい。
【００１９】
この構成の洗浄機では、洗浄水の汚れ具合の指標が、第１規定値に近づいている状況、かつ、入替許可時間帯が終了する前の決められた終了時間帯である場合に、洗浄タンクに貯留される洗浄水の入れ替えを前倒しで実施している。入替許可時間帯は、洗浄機の使用頻度が高くない時間帯であり、通常、入替許可時間帯が終了すると洗浄機の使用頻度が高い時間帯となる。この構成の洗浄機では、洗浄機の使用頻度が高い時間帯となる前に、洗浄タンクに貯留される洗浄水の入れ替えを前倒しで実施するので、洗浄機の使用頻度が高い時間帯において、長時間の間、洗浄タンク内の洗浄水の入れ替えがなされない状況を回避することができる。
【００２０】
本発明の洗浄機では、洗浄水の汚れ具合の指標が第１規定値よりも大きな第２規定値へ到達したか否かを判定する第４判定部を更に備え、第４判定部によって洗浄水の汚れ具合の指標が第２規定値へ到達したと判定された場合には、洗浄タンクに貯留される洗浄水の入れ替えを強制的に実施してもよい。
【００２１】
この構成の洗浄機では、洗浄水の汚れ具合の指標が第２規定値へ到達した場合には、現在の時刻が入替許可時間帯に属するか否かを問わず、強制的に洗浄タンクに貯留される洗浄水の入れ替えを実施している。これにより、洗浄タンクに貯留される洗浄水が過度に汚れることを防止することができる。この結果、より確実に洗浄能力が低下することを抑制できる。
【００２２】
本発明の洗浄機では、洗浄タンクに貯留されている洗浄水を排出する排水部と、洗浄タンクに濯ぎ水を供給する給水部と、排水部を制御してタンクに貯留されている洗浄水を排出させた後、給水部を制御して洗浄タンクに濯ぎ水を供給させることによって、洗浄タンクに貯留される洗浄水の入れ替えを実施する制御部と、を更に備えていてもよい。
【００２３】
この構成の洗浄機では、簡易な構成及び制御によって、洗浄タンクに貯留された水の入れ替えを実施することができる。
【００２４】
本発明の洗浄機では、洗浄タンクに貯留される洗浄水の入れ替えの実施の有無を決定するための各種設定値の入力を使用者から受け付け可能な設定入力部を更に備えていてもよい。
【００２５】
この構成の洗浄機では、使用者が使用状況に応じた各種設定値の入力が行えるので、より適切なタイミングで洗浄タンクに貯留される洗浄水を入れ替えることが可能になる。
【００２６】
本発明の洗浄機では、第１規定値に到達前の所定の時間帯である第１時間帯、閑散状態であるとの判定によって洗浄水の排出が開始される前の所定の時間帯である第２時間帯、及び第１時間帯と第２時間帯との間の第３時間帯であることをそれぞれ報知する報知部を更に備え、報知部は、第１時間帯、第２時間帯及び第３時間帯において互いに報知方法を変更してもよい。
【００２７】
この構成の洗浄機では、洗浄機の使用者が、洗浄機の状態を把握することができると共に、洗浄水の排出、すなわち、洗浄水の入れ替えのタイミングを把握することができる。
【発明の効果】
【００２８】
本発明によれば、洗浄能力の低下を抑制しながらも、洗浄機の使用状況に応じた適切なタイミングで洗浄タンクに貯留される洗浄水の入れ替えが可能になる。
【図面の簡単な説明】
【００２９】
【図１】一実施形態に係る食器洗浄機の概略構成を示す図である。
【図２】図１の食器洗浄機の機能構成を示す機能ブロック図である。
【図３】図１の食器洗浄機における洗浄水の入替制御を示すフローチャートである。
【図４】変形例に係る食器洗浄機における洗浄水の入替制御を示すフローチャートである。
【発明を実施するための形態】
【００３０】
以下、図面を参照して一実施形態に係る食器洗浄機（洗浄機）について説明する。図面の説明において、同一要素には同一符号を付し、重複する説明を省略する。図面の寸法比率は、必ずしも一致していない。
【００３１】
図１に示される食器洗浄機１は、いわゆるドア型食器洗浄機である。ドア型食器洗浄機には、本体部の前面側にドアが設けられたアンダーカウンタ式の食器洗浄機、ドア部が上下に開閉するタイプの食器洗浄機などが含まれる。食器洗浄機１は、ステンレス製の本体ケース２を有する。本体ケース２の内部は、食器（被洗浄物）Ｄを収容して洗浄を行うための洗浄室Ｒとして機能する。本体ケース２の左側方には、使用者が運転モードや設定を入力するための操作パネル３が設けられている）。
【００３２】
本体ケース２には、洗浄室Ｒ内に食器Ｄを出し入れするためのドア４が取り付けられている。洗浄室Ｒ内には、ラックレール（図示せず）が設けられ、このラックレール上に、食器Ｄが並べられた食器ラック（図示せず）が載置される。
【００３３】
洗浄室Ｒ内の上部には、放射状に延びる３本のアームからなる上側洗浄ノズル５と、２本のアームからなる上側濯ぎノズル６とがそれぞれ回転自在に配置されている。同様に、洗浄室Ｒ内の下部には、放射状に延びる３本のアームからなる下側洗浄ノズル７と、２本のアームからなる下側濯ぎノズル８とがそれぞれ回転自在に配置されている。これにより、食器ラックに並べられた食器Ｄには、洗浄工程において上側洗浄ノズル５及び下側洗浄ノズル７によって上下から洗浄水が噴射され、濯ぎ工程において上側濯ぎノズル６及び下側濯ぎノズル８によって上下から濯ぎ水が噴射されるため、食器Ｄの洗浄及び濯ぎが効率良く行われる。
【００３４】
このように構成された洗浄室Ｒの下方には、洗浄水を貯留する洗浄タンク９が形成されている。この洗浄タンク９には、洗浄水の水位を検知するための水位検知スイッチ１０が設けられている。水位検知スイッチ１０は、洗浄タンク９内の水位が所定水位Ｈを超えている場合にＯＮとなり、所定水位Ｈ以下の場合にＯＦＦとなるスイッチである。
【００３５】
洗浄タンク９の底面９ａには、下方に延びる排水管５３が接続されている。洗浄タンク９の底面９ａから下方に延びる排水管５３の途中には、排水用電磁弁（排水部）５２が設けられている。排水用電磁弁５２は、マイクロコンピュータ（以下「マイコン」という）６０の制御によって弁の開閉がなされる。マイコン６０によって、排水用電磁弁５２の弁が開放されることにより、洗浄タンク９に貯留された洗浄水は排水管５３を介して外部へ排出され、洗浄タンク９内の洗浄水を完全に排出することができる。
【００３６】
洗浄タンク９の側面には、洗浄水吸込管１３を介して洗浄ポンプ１４が接続されている。洗浄タンク９の洗浄水吸込管１３が取り付けられた部分には、ポンプフィルター１２が設けられている。洗浄ポンプ１４の吐出口には洗浄水吐出管１５が接続されている。洗浄水吐出管１５は、第１洗浄水吐出管１６と第２洗浄水吐出管１７とに分岐している。第１洗浄水吐出管１６は、上側洗浄ノズル５に接続されている。第２洗浄水吐出管１７は、下側洗浄ノズル７に接続されている。
【００３７】
食器洗浄機１は、濯ぎ水が貯留される貯湯タンク１８を有している。この貯湯タンク１８には、外部の給湯器（図示せず）から給湯管２１を介して濯ぎ水が供給される。給湯管２１には、ストレーナ１９及びウォータバルブ２０が設けられている。貯湯タンク１８内には、温水である濯ぎ水を所定温度に維持するための濯ぎ水ヒータ２２と、この濯ぎ水の温度を検知するための水温センサ２３とが設置されている。
【００３８】
貯湯タンク１８には、濯ぎ水吸込管２４を介して濯ぎポンプ（給水部）２５が接続されている。この濯ぎポンプ２５の吐出口には濯ぎ水吐出管２６が接続されている。濯ぎ水吐出管２６は、第１濯ぎ水吐出管２７と第２濯ぎ水吐出管２８とに分岐している。第１濯ぎ水吐出管２７は、上側濯ぎノズル６に接続されている。第２濯ぎ水吐出管２８は下側濯ぎノズル８に接続されている。
【００３９】
食器洗浄機１には、外付け用の洗剤供給ポンプ３２が取り付けられている。洗剤供給ポンプ３２は、洗剤タンク３３内に貯留された洗剤を洗浄室Ｒに供給するためのベローズポンプである。洗剤供給ポンプ３２は、洗浄室Ｒの側壁に接続された洗剤吐出管３４と接続され、信号線によりマイコン６０に接続されている。洗剤供給ポンプ３２は、マイコン６０から出力される信号に応じて動作し、接続された洗剤吸込管３５から洗剤タンク３３内の洗剤を吸い込み、洗剤吐出管３４へ所定量の洗剤を吐出する。この洗剤は、洗剤吐出管３４の先端に設けられ、洗浄室Ｒと洗剤吐出管３４とを接続する洗剤吐出口３６から洗浄室Ｒ内に吐出される。洗浄室Ｒ内に吐出された洗剤は、洗浄室Ｒの下方の洗浄タンク９内に流れ込み洗浄水と混入される。
【００４０】
食器洗浄機１には、外付け用のリンス剤供給ポンプ３７が取り付けられている。リンス剤供給ポンプ３７は、リンス剤タンク３８内に貯留されたリンス剤を濯ぎ水路に供給するためのものである。リンス剤供給ポンプ３７は、第１濯ぎ水吐出管２７と連通するリンス剤吐出管３９に接続され、信号線によりマイコン６０に接続されている。リンス剤供給ポンプ３７は、マイコン６０から出力される信号に応じて動作し、接続されたリンス剤吸込管４０からリンス剤タンク３８内の洗剤を吸い込み、リンス剤吐出管３９へリンス剤を吐出する。リンス剤は、リンス剤供給ポンプ３７によってリンス剤吐出管３９から濯ぎ水吐出管２６内の濯ぎ水路へ吐出され、濯ぎ水に混入される。
【００４１】
食器洗浄機１には、食器洗浄機１における動作全般を制御するマイコン６０が内蔵された電装ボックス６０Ａが設けられている。マイコン６０は、集積回路に実装されたコンピュータシステムあるいはプロセッサである。マイコン６０は、食器洗浄機１における各種動作を制御する部分であり、ＣＰＵ（Central Processing Unit）、ＲＯＭ（Read OnlyMemory）、ＲＡＭ（Random Access Memory）など、相互に接続されている。図２に示されるように、マイコン６０は、食器洗浄機１における各種制御処理を実行する概念的な部分としての第１判定部６１と、第２判定部６２と、第３判定部６３と、第４判定部６４と、入替制御部（制御部）６６と、積算部６７と、設定記憶部６８と、タイマ部６９と、を有している。このような概念的な部分は、例えばＲＯＭに格納されているプログラムがＲＡＭ上にロードされてＣＰＵで実行される。
【００４２】
第１判定部６１は、洗浄運転の運転回数を積算した積算運転回数Ｎ（洗浄水の汚れ具合の指標）の第１規定値（例えば、１００回）への到達の有無を判定する。第１規定値は、設定記憶部６８に記憶されている。また、第１規定値は、後述する操作パネル（設定入力部）３を介して使用者が入力することができる。
【００４３】
第２判定部６２は、第１判定部６１によって積算運転回数Ｎが第１規定値に到達したと判定された洗浄運転の終了時から、洗浄運転が実施されない時間が規定時間（例えば、１０分）に到達したか否かを判定（洗浄運転の稼働状況が閑散状態であるか否かを判定）する。規定時間は、設定記憶部６８に記憶されている。また、規定時間は、後述する操作パネル３を介して使用者が入力することができる。
【００４４】
更に、第２判定部６２は、前述したとおり、洗浄運転が実施されない時間が規定時間に到達したと判定された場合に、現在の時間が予め設定された入替許可時間帯（例えば、１４時〜１７時）に属するか否かを判定（洗浄運転の稼働状況が閑散状態であるか否かを判定）する。入替許可時間帯は、設定記憶部６８に記憶されている。また、入替許可時間帯は、後述する操作パネル３を介して使用者が入力することができる。
【００４５】
第３判定部６３は、現在の時刻が、入替許可時間帯が終了する前の所定の終了時間帯（例えば、入替許可時間帯の終了前１時間以内）であり、かつ、積算運転回数Ｎと第１規定値との差が規定範囲内（例えば、２０回以内）であるか否かを判定する。終了時間帯は、入替許可時間帯に対する相対的な時間（例えば、「終了から１時間以内」）として設定してもよいし、絶対的な時間（例えば、「１６時〜１７時」）として設定してもよい。
【００４６】
第４判定部６４は、積算運転回数Ｎが第１規定値よりも大きな第２規定値（例えば、１５０回）への到達の有無を判定する。第２規定値は、設定記憶部６８に記憶されている。また、第２規定値は、後述する操作パネル３を介して使用者が入力することができる。第２規定値は、第１規定値に対する相対的な回数（例えば、「＋５０回」）として設定してもよいし、絶対的な回数（例えば、「１５０回」）として設定してもよい。
【００４７】
入替制御部６６は、第１判定部６１によって積算運転回数Ｎが第１規定値に到達したと判定され、第２判定部６２によって洗浄運転が実施されない時間が規定時間に到達したと判定されると共に、現在の時刻が入替許可時間帯に属していると判定された場合に、洗浄タンク９に貯留される洗浄水の入れ替えを実施する。具体的には、入替制御部６６は、排水用電磁弁５２を制御して洗浄タンク９に貯留されている洗浄水を排出させた後、濯ぎポンプ２５を制御して洗浄タンク９に濯ぎ水を供給させることによって、洗浄タンク９に貯留される洗浄水の入れ替えを実施する。
【００４８】
また、入替制御部６６は、第１判定部６１によって積算運転回数が第１規定値に到達していないと判定された場合であっても、第２判定部６２によって洗浄運転が実施されない時間が規定時間に到達したと判定されると共に、現在の時刻が入替許可時間帯に属していると判定され、第３判定部６３によって、現在の時刻が終了時間帯であると判定されると共に、積算運転回数Ｎと第１規定値との差が規定範囲内であると判定された場合に、洗浄タンク９に貯留される洗浄水の入れ替えを前倒しで実施する。
【００４９】
また、入替制御部６６は、第４判定部６４によって積算運転回数Ｎが第２規定値へ到達したと判定された場合には、洗浄タンク９に貯留される洗浄水の入れ替えを強制的に実施する。すなわち、入替制御部６６は、第４判定部６４によって積算運転回数Ｎが第２規定値へ到達したと判定された場合には、他の判定部の判定結果に依存することなく、洗浄水の入れ替えを実施する。なお、洗浄タンク９に貯留される洗浄水の入れ替えを強制的に実施する際には、入れ替えの実施が開始される所定時間前に報知部７０による報知を行ってもよい。また、報知部７０は、例えば、当該入れ替えの実施が開始される所定時間前（例えば、６０秒前）からカウントダウン表示をしてもよい。
【００５０】
積算部６７は、洗浄運転の運転回数を積算した積算運転回数Ｎをカウントする。本実施形態における運転回数とは、食器Ｄの洗浄工程及び濯ぎ工程を１サイクルとしたときのサイクルの回数である。なお、積算部６７は、運転休止状態や電源ＯＦＦ状態を挟んでも、上記積算運転回数Ｎをクリアすることなく積算する。
【００５１】
設定記憶部６８は、洗浄タンク９に貯留される洗浄水の入れ替えの実施の有無を決定するための各種設定値を記憶する。具体的には、第１規定値（例えば、１００回）、規定時間（例えば、１０分）、入替許可時間帯（例えば、１４時〜１７時）、終了時間帯（例えば、１時間以内）、規定範囲（例えば、２０回）及び第２規定値（例えば、１５０回）を記憶する。例えば、設定記憶部６８は、ウィークリータイマとして構成されると、曜日及び時間帯を指定して設定することが可能となる。
【００５２】
タイマ部６９は、１サイクルの運転動作が終了した時から経過時間を計測する。タイマ部６９は、１サイクルの運転動作が終了すると同時に、時間の計測を開始する。
【００５３】
この食器洗浄機１では、使用者が操作パネル３を操作することで、マイコン６０における第１判定部６１〜第４判定部６４が各種判定を実行する際の各種設定値を設定することができる。各種設定値には、第１規定値、規定時間、入替許可時間帯、終了時間帯、規定範囲及び第２規定値が含まれる。
【００５４】
また、食器洗浄機１では、使用者が操作パネル３を操作することで運転の開始や休止、各種の設定が行われる。操作パネル３は、使用者が運転回数などを設定するための設定スイッチ、洗浄水や濯ぎ水の湯温情報その他の情報を表示する表示部、運転コースを切り換えるためのコース切替スイッチ、運転を休止させるための休止スイッチ、電源のＯＮ、ＯＦＦを切り換える運転スイッチ、洗浄タンク９に貯留される洗浄水の入れ替えの実施の有無を決定するための各種設定値の入力部、及び食器洗浄機１の運転状態を使用者に知らせるための各種表示ランプが設けられている。また、操作パネル３は、警告音や音声アナウンスを出力する音声出力機能を有している。
【００５５】
次に、本実施形態における洗浄タンク９に貯留される洗浄水の入れ替え制御について説明する。食器洗浄機１では、食器Ｄの洗浄工程及び濯ぎ工程を１サイクルとする洗浄運転が行われる。本実施形態の食器洗浄機１では、１サイクルの運転動作ごとに洗浄タンク９に貯留される洗浄水の入れ替えを実施するか否かの判定（洗浄水の入替制御）がなされている点に一つの特徴を有している。以下、主に、図３のフローチャートを参照しながら、洗浄水の入替制御について説明する。
【００５６】
使用者により食器洗浄機１の電源が投入され、洗浄開始ボタンが押されたこと、又は、ドア４が閉められたことを検知するドアスイッチからＯＮされたことを受け付けると、洗剤を含む洗浄水で食器Ｄを洗浄する洗浄工程（ステップＳ１）が実施される。具体的には、マイコン６０から洗浄開始信号が送出されて洗浄ポンプ１４が始動する。これにより、洗浄タンク９内に貯留された洗浄水は、第１及び第２洗浄水吐出管１６，１７を介して上下の洗浄ノズル５，７に圧送されて、各洗浄ノズル５，７から食器Ｄに向けて噴射される。
【００５７】
食器Ｄに噴射された洗浄水は、洗浄室Ｒの下方に流れて洗浄タンク９内に回収される。そして、洗浄ポンプ１４により再び洗浄室Ｒ内に循環供給される。この洗浄工程中では、洗剤供給ポンプ３２が駆動して、洗剤タンク３３内の洗剤が洗剤吐出口３６から洗浄室Ｒ内に吐出され、噴射された洗浄水に混ざって洗浄タンク９に供給される。
【００５８】
このような洗浄工程Ｓ１が所定時間行われると、濯ぎ工程（ステップＳ２）が実施される。具体的には、マイコン６０から洗浄終了信号が送出されて洗浄ポンプ１４が停止し、マイコン６０から濯ぎ開始信号が送出されて濯ぎポンプ２５が始動する。これにより、貯湯タンク１８内に貯留された濯ぎ水は、第１及び第２濯ぎ水吐出管２７，２８を介して上下の濯ぎノズル６，８に圧送されて、各濯ぎノズル６，８から食器Ｄに向けて噴射される。濯ぎ工程では、リンス剤がリンス剤供給ポンプ３７によって供給される。食器Ｄに噴射された濯ぎ水は、洗浄タンク９内に回収されて、次回の洗浄工程における洗浄水として使用される。
【００５９】
濯ぎ工程Ｓ２では、マイコン６０は、排水用電磁弁５２の弁を所定時間開けるように制御して、濯ぎ工程Ｓ２において供給される濯ぎ水と同量の洗浄水を洗浄タンク９から排出させる。具体的には、マイコン６０は、洗浄工程Ｓ１の終了後、濯ぎポンプ２５の始動前に、濯ぎ工程Ｓ２において供給される濯ぎ水と同量の洗浄水を洗浄タンク９から排出させる。なお、マイコン６０は、濯ぎポンプ２５の始動中に、濯ぎ工程Ｓ２において供給される濯ぎ水と同量の洗浄水を洗浄タンク９から排出させてもよい。
【００６０】
このような濯ぎ工程が所定時間行われると、マイコン６０から濯ぎ終了信号が送出されて濯ぎポンプ２５が停止し、食器洗浄機１における洗浄運転の１サイクルの動作が完了する。積算部６７は、積算運転回数Ｎをカウントする（ステップＳ３）。積算部６７は、前回の洗浄運転で記憶している積算運転回数に１を加え、新たな積算運転回数Ｎとして記憶する。
【００６１】
食器洗浄機１では、１サイクルの運転動作が終了すると、次に洗浄する食器Ｄがセットされて、再び１サイクルの運転動作が行われる。このようにして、食器洗浄機１では、主電源がＯＦＦにされるまで、断続的に洗浄サイクル運転が行われる。本実施形態の食器洗浄機１では、１サイクルの運転動作が終了すると同時に、タイマ部６９が、１サイクルの運転動作が終了した時を起点とする、洗浄運転が実施されない時間の計測を開始する（ステップＳ４）。
【００６２】
次に、第４判定部６４が、積算運転回数Ｎが第１規定値よりも大きな第２規定値（例えば、１５０回）に到達しているか否かを判定する（ステップＳ５）。ここで、積算運転回数Ｎが第２規定値へ到達している場合（Ｓ５：ＹＥＳ）には、入替制御部６６は、洗浄タンク９に貯留されている洗浄水の入れ替えを実施する（ステップＳ１２）。すなわち、入替制御部６６は、排水用電磁弁５２を制御して洗浄タンク９に貯留されている水を排出させた後、濯ぎポンプ２５を制御して洗浄タンク９に濯ぎ水を供給させることによって、洗浄タンク９に貯留される洗浄水の入れ替えを実施する。
【００６３】
一方、積算運転回数Ｎが第２規定値未満である場合（Ｓ５：ＮＯ）には、食器洗浄機１は、第１判定部６１が、ステップＳ３において積算した積算運転回数Ｎの第１規定値（例えば、１００回）への到達の有無を判定する（ステップＳ６）。ここで、積算運転回数Ｎが第１規定値未満である場合（Ｓ６：ＮＯ）には、第４判定部６４が、積算運転回数Ｎと第１規定値との差が規定範囲内（例えば、２０回以内、すなわち８０回〜９９回）であるか否かを判定する（ステップＳ７）。
【００６４】
積算運転回数Ｎと第１規定値との差が規定範囲内でない場合（Ｓ７：ＮＯ）には、入替制御部６６は、洗浄タンク９に貯留されている洗浄水の入れ替えを実施しないで、洗浄開始信号の送出の有無を監視し（ステップＳ１３）する。食器洗浄機１は、洗浄開始信号が送出されるまで待機し（Ｓ１３：ＮＯ）、マイコン６０から洗浄開始信号が送出されると（洗浄開始ボタンが押されたこと、又は、ドアスイッチからＯＮされたことを受け付けると）（Ｓ１３：ＹＥＳ）、次の洗浄工程を開始する（ステップＳ１）。タイマ部６９における洗浄運転が実施されない時間の計測は、この時点でリセットされる。一方、積算運転回数Ｎと第１規定値との差が規定範囲内である場合（Ｓ７：ＹＥＳ）には、食器洗浄機１は、ステップＳ８の判定に移行する。
【００６５】
ステップＳ６において積算運転回数Ｎが第１規定値以上（Ｓ６：ＹＥＳ）である場合、及び、ステップＳ７において積算運転回数Ｎと第１規定値との差が規定範囲内である場合（Ｓ７：ＹＥＳ）、第２判定部６２が、第１判定部６１によって積算運転回数Ｎが第１規定値に到達したと判定された洗浄運転の終了時から洗浄運転が実施されない時間が規定時間（例えば、１０分）に到達したか否かの有無を判定する（ステップＳ８）。具体的には、第２判定部６２は、ステップＳ４において計測を開始したタイマ部６９の時間が規定時間以上となっているか否かを判定する。
【００６６】
タイマ部６９によって計測が開始された時間が規定時間以上でない場合（ステップＳ８：ＮＯ）には、入替制御部６６は、洗浄タンク９に貯留されている洗浄水の入れ替えを実施しないで、洗浄開始信号の送出の有無を監視し（ステップＳ１３）する。食器洗浄機１は、洗浄開始信号が送出されるまで待機し（Ｓ１３：ＮＯ）、マイコン６０から洗浄開始信号が送出されると（Ｓ１３：ＹＥＳ）、次の洗浄工程を開始（ステップＳ１）し、タイマ部６９における時間の計測をリセットする。
【００６７】
一方、タイマ部６９によって計測が開始された時間が規定時間以上である場合（Ｓ８：ＹＥＳ）には、更に、第２判定部６２が、現在の時間が予め設定された入替許可時間帯（例えば、１４時〜１７時）に属するか否かを判定する（ステップＳ９）。ここで、現在の時刻が入替許可時間帯に属していないと判定された場合（Ｓ９：ＮＯ）には、入替制御部６６は、洗浄タンク９に貯留されている洗浄水の入れ替えを実施しないで、洗浄開始信号の送出の有無を監視し（ステップＳ１３）する。食器洗浄機１は、洗浄開始信号が送出されるまで待機し（Ｓ１３：ＮＯ）、マイコン６０から洗浄開始信号が送出されると（Ｓ１３：ＹＥＳ）、次の洗浄工程を開始（ステップＳ１）し、タイマ部６９における時間の計測をリセットする。
【００６８】
一方、現在の時刻が入替許可時間帯に属していると判定された場合（Ｓ９：ＹＥＳ）には、第１判定部６１は、ステップＳ３において積算した積算運転回数Ｎが第１規定値（例えば、１００回）に到達しているか否かを再度判定する（ステップＳ１０）。ここで、積算運転回数Ｎが第１規定値へ到達している場合（Ｓ１０：ＹＥＳ）には、入替制御部６６は、洗浄タンク９に貯留されている洗浄水の入れ替えを実施する（ステップＳ１２）。
【００６９】
一方、積算運転回数Ｎが第１規定値へ到達していない場合（Ｓ１０：ＮＯ）には、第３判定部６３は、現在の時刻が、入替許可時間帯が終了する前の所定の終了時間帯（例えば、入替許可時間帯の終了前１時間以内、すなわち、１６時〜１７時）であるか否かと、積算運転回数Ｎと第１規定値との差が規定範囲内（例えば、２０回以内、すなわち８０回〜９９回）であるか否かと、を判定する（ステップＳ１１）。なお、本実施形態では、ステップＳ５、ステップＳ６、ステップＳ７及びステップＳ１０の判定結果から、ステップＳ１１では、積算運転回数Ｎが第１規定値以下であり、かつ、第１規定値との差が規定範囲内の積算運転回数Ｎとなる。したがって、ステップＳ１１では、第３判定部６３は、現在の時刻が所定の終了時間帯に属しているか否かのみを判定する。
【００７０】
ここで、現在の時刻が終了時間帯に属していない場合（Ｓ１１：ＮＯ）には、入替制御部６６は、洗浄タンク９に貯留されている洗浄水の入れ替えを実施しないで、洗浄開始信号の送出の有無を監視し（ステップＳ１３）する。食器洗浄機１は、洗浄開始信号が送出されるまで待機し（Ｓ１３：ＮＯ）、マイコン６０から洗浄開始信号が送出されると（Ｓ１３：ＹＥＳ）、次の洗浄工程を開始（ステップＳ１）し、タイマ部６９における時間の計測をリセットする。
【００７１】
一方、現在の時刻が終了時間帯に属する場合（Ｓ１１：ＹＥＳ）には、入替制御部６６は、洗浄タンク９に貯留されている洗浄水の入れ替えを実施する（ステップＳ１２）。ステップＳ１２において洗浄タンク９に貯留されている洗浄水の入替を完了すると、積算部６７は、積算運転回数Ｎをゼロにリセットして記憶する。これにより、一連の洗浄水の入替制御が終了する。食器洗浄機１は、次にマイコン６０から洗浄開始信号が送出されるまで待機する。
【００７２】
次に、上記実施形態の食器洗浄機１の作用効果について説明する。上記実施形態の食器洗浄機１では、積算運転回数Ｎが第１規定値へ到達した場合であってもすぐに洗浄タンクに貯留された洗浄水を入れ替えることはせずに、積算運転回数Ｎが第１規定値に到達したと判定された洗浄運転の終了時から洗浄運転が実施されない時間が規定時間に到達した場合にのみ、洗浄タンク９に貯留された洗浄水を入れ替えている。これにより、食器洗浄機１が短い間隔（高頻度）で繰り返し使用されるような状況では、すぐに洗浄タンク９内の洗浄水が入れ替えられることなく、時間をずらして実施される。この結果、洗浄能力の低下を抑制しながらも、食器洗浄機１の使用状況に応じた適切なタイミングで洗浄タンク９に貯留される洗浄水の入れ替えが可能になる。
【００７３】
また、上記実施形態の食器洗浄機１では、積算運転回数Ｎが第１規定値へ到達したと判定された洗浄運転の終了時から洗浄運転が実施されない時間が規定時間に到達したとしても、現在時刻が入替許可時間帯に属していないと洗浄タンク９に貯留される洗浄水の入れ替えが実施されない。すなわち、上記実施形態の食器洗浄機１では、食器洗浄機１の使用頻度が高くない時間帯である入替許可時間帯にのみ洗浄タンク内の水の入れ替えを許可することにより、食器洗浄機１が短い間隔で繰り返し使用されるような状況において、洗浄タンク９内の洗浄水の入れ替えが実施されることをより確実に回避できるようになる。
【００７４】
また、上記実施形態の食器洗浄機１では、積算運転回数Ｎが第１規定値に到達していなくても、積算運転回数Ｎが第１規定値に近づいている状況、かつ、入替許可時間帯が終了する前の決められた終了時間帯である場合に、洗浄タンク９に貯留される洗浄水の入れ替えを前倒しで実施している。入替許可時間帯は、通常、食器洗浄機１の使用頻度が高くない時間帯であり、入替許可時間帯が終了すると、食器洗浄機１の使用頻度が高い時間帯となる。これにより、食器洗浄機１の使用頻度が高い時間帯となる前に、洗浄タンク９に貯留される洗浄水の入れ替えが前倒しで実施されるので、食器洗浄機１の使用頻度が高い時間帯において、長時間の間、洗浄タンク９内の洗浄水の入れ替えがなされない状況を回避することができる。
【００７５】
また、上記実施形態の食器洗浄機１では、積算運転回数Ｎが第２規定値へ到達した場合には、他の判定部において判定を実施することなく、強制的に洗浄タンク９に貯留される洗浄水の入れ替えを実施している。これにより、洗浄タンク９に貯留される洗浄水が過度に汚れることを防止することができる。この結果、より確実に洗浄能力の低下を抑制することができる。
【００７６】
以上、一実施形態について説明したが、本発明は、上記実施形態に限られるものではなく、発明の趣旨を逸脱しない範囲で種々の変形が可能である。
【００７７】
＜変形例１＞
上記実施形態の食器洗浄機１では、マイコン６０が第１判定部６１〜第４判定部６４を備えている例を挙げて説明したが、本発明はこれに限定されない。例えば、マイコン６０は、第３判定部６３及び第４判定部６４の両方又は一方を備えない構成であってもよい。以下、第３判定部６３及び第４判定部６４の両方を備えない場合の入替制御について説明する。
【００７８】
変形例１に係る食器洗浄機における洗浄水の入替制御は、図４に示されるように、上記実施形態に係る食器洗浄機１における洗浄水の入替制御から、ステップＳ５と、ステップＳ７、ステップＳ１０と、ステップＳ１１とをなくした制御となる。すなわち、ステップＳ６では、積算運転回数Ｎが第１規定値未満（Ｓ６：ＮＯ）である場合には、入替制御部６６は、洗浄タンク９に貯留されている洗浄水の入れ替えを実施しないで、洗浄開始信号の送出の有無を監視し（ステップＳ１３）する。食器洗浄機１は、洗浄開始信号が送出されるまで待機し（Ｓ１３：ＮＯ）、マイコン６０から洗浄開始信号が送出されると（Ｓ１３：ＹＥＳ）、次の洗浄工程を開始（ステップＳ１）し、タイマ部６９における時間の計測をリセットする。
【００７９】
また、ステップＳ９では、現在の時刻が入替許可時間帯に属していないと判定された場合（Ｓ９：ＮＯ）には、入替制御部６６は、洗浄タンク９に貯留されている洗浄水の入れ替えを実施しないで、洗浄開始信号の送出の有無を監視し（ステップＳ１３）する。食器洗浄機１は、洗浄開始信号が送出されるまで待機し（Ｓ１３：ＮＯ）、マイコン６０から洗浄開始信号が送出されると（Ｓ１３：ＹＥＳ）、次の洗浄工程を開始（ステップＳ１）し、タイマ部６９における時間の計測をリセットする。一方、現在の時刻が入替許可時間帯に属していると判定された場合（Ｓ９：ＹＥＳ）には、入替制御部６６は、洗浄タンク９に貯留されている洗浄水の入れ替えを実施する（ステップＳ１２）。上述したステップＳ以外は、上記実施形態と同様であるので、ここでは詳細な説明を省略する。
【００８０】
上記変形例１に係る食器洗浄機では、積算運転回数Ｎが第１規定値へ到達した場合であってもすぐに洗浄タンクに貯留された洗浄水を入れ替えることはせずに、積算運転回数Ｎが第１規定値に到達したと判定された洗浄運転の終了時から洗浄運転が実施されない時間が規定時間に到達した場合にのみ、洗浄タンク９に貯留された洗浄水を入れ替えている。これにより、食器洗浄機１が短い間隔で繰り返し使用されるような状況では、すぐに洗浄タンク９内の洗浄水が入れ替えられることなく、時間をずらして実施される。この結果、洗浄能力の低下を抑制しながらも、食器洗浄機１の使用状況に応じた適切なタイミングで洗浄タンク９に貯留される洗浄水の入れ替えが可能になる。
【００８１】
また、上記変形例１に係る食器洗浄機では、上記実施形態の食器洗浄機１と同様に、積算運転回数Ｎが第１規定値へ到達したと判定された洗浄運転の終了時から洗浄運転が実施されない時間が規定時間に到達した場合であっても、現在時刻が入替許可時間帯に属していないと洗浄タンク９に貯留される洗浄水の入れ替えが実施されない。すなわち、上記変形例１の食器洗浄機では、食器洗浄機１の非繁忙時間帯を入替許可時間帯として設定することにより、食器洗浄機が短い間隔で繰り返し使用されるような状況において、洗浄タンク９内の洗浄水の入れ替えが実施されることをより確実に回避できるようになる。
【００８２】
＜変形例２＞
上記実施形態の食器洗浄機１及び変形例の食器洗浄機では、マイコン６０における第２判定部６２が、第１判定部６１によって積算運転回数Ｎが第１規定値に到達したと判定された洗浄運転の終了時からの洗浄運転が実施されない時間が規定時間（例えば、１０分）に到達したか否かを判定すると共に、現在の時間が予め設定された入替許可時間帯（例えば、１４時〜１７時）に属するか否かを判定する例を挙げて説明したが、少なくとも一方の判定を行うようにしてもよい。
【００８３】
＜変形例３＞
上記実施形態の食器洗浄機１及び変形例の食器洗浄機の構成に加え、下記に示す報知部７０（図２参照）を備えていてもよい。すなわち、第１規定値に到達前の所定の時間帯である第１時間帯、第２判定部６２における閑散状態であるとの判定によって洗浄水の排出が開始される前の所定の時間帯である第２時間帯、及び第１時間帯と第２時間帯との間の第３時間帯であることをそれぞれ報知する報知部７０を備えていてもよい。報知部７０は、第１時間帯、第２時間帯及び第３時間帯において互いに報知方法を変更してもよい。
【００８４】
報知部７０の例は、ランプ、表示部、及びブザーなどが含まれる。また、報知方法の例は、ランプであれば、点滅パターン、点滅間隔、点灯色等の点灯状態であり、表示部であれば、表示文字及び表示色などの表示状態であり、ブザーであれば、音量、発停間隔、及び音色等の発音状態である。
【００８５】
報知部７０は、例えば、第１時間帯、第３時間帯、及び第２時間帯の順番で、使用者の気を強く引くような報知方法となるように、それぞれの時間帯における報知方法を変更してもよい。例えば、ブザーであれば、「第２時間帯＞第３時間帯＞第１時間帯」の関係となるようなブザーの音量となるように、それぞれの時間帯におけるブザーの発音状態を変更してもよい。
【００８６】
このような報知部７０を備える変形例３に係る構成では、状況に応じて報知方法が変更されるので、食器洗浄機１の使用者が、食器洗浄機１の状態を把握することができると共に、洗浄水の排出、すなわち、洗浄水の入れ替えのタイミングを容易に把握することができる。
【００８７】
また、報知部７０は、第２判定部６２における閑散状態であるとの判定によって洗浄水の排出が開始される前の所定の時間帯である第２時間帯において、洗浄水の排出が開始されるまでの時間をカウントダウン表示してもよい。例えば、報知部７０としての表示部を備え、当該表示部に６０秒前からのカウントダウンを表示してもよい。
【００８８】
＜その他の変形例＞
上記実施形態及び変形例では、第１判定部６１、第３判定部６３及び第４判定部６４が、積算部６７によって取得される積算運転回数Ｎに基づいて各種判定を実施する例を挙げて説明したが、本発明はこれに限定されない。例えば、洗浄タンク９に貯留される洗浄水の汚れ具合（濁度）を直接測定するセンサ（例えば、洗浄水の透過度を計測する光センサ又は洗浄水の導電率を計測する電極）などを設け、第１判定部６１、第３判定部６３及び第４判定部６４は、当該センサによって取得される測定値に基づいて各種判定を実施してもよい。
【００８９】
また、例えば、積算部６７は、積算運転回数Ｎの取得に代えて、洗浄運転の運転時間を積算した積算運転時間を取得し、第１判定部６１、第３判定部６３及び第４判定部６４は、積算部６７によって取得される積算運転時間に基づいて各種判定を実施してもよい。なお、本変形例における運転時間とは、洗浄ポンプ１４が駆動している時間であり、積算部６７は、運転休止状態や電源ＯＦＦ状態を挟んでも、上記運転時間をクリアすることなく積算する。
【００９０】
また、積算部６７が積算運転回数Ｎ及び積算運転時間の両方を取得し、第１判定部６１が積算運転回数Ｎ及び積算運転時間の両方に基づいて判定を実施するという構成の食器洗浄機としてもよい。すなわち、第１判定部６１は、積算運転時間及び積算運転回数Ｎの両方の第１規定値への到達の有無を判定してもよい。第３判定部６３及び第４判定部６４についても、同様である。
【００９１】
上記実施形態及び変形例では、使用者が操作パネル３を操作することで、第１規定値、規定時間、入替許可時間帯、終了時間帯、規定範囲及び第２規定値を設定する例を挙げて説明したが、本発明はこれに限定されない。例えば、使用者が操作パネル３を操作することで各種設定値を入力設定する構成でなく、初期設定値として設定記憶部６８に記憶された値を用いる構成としてもよい。また、各種設定値の設定は、操作パネル３を介する方法だけでなく、各種記憶メディアを介して各種設定値を転送したり、有線又は無線ＬＡＮ（Local Area Network）などを介して各種設定値を転送したりしてもよい。
【００９２】
上記実施形態及び変形例では、第２判定部６２が現在の時間が予め設定された入替許可時間帯に属するか否かを判定させるため、設定記憶部６８に入替許可時間帯を記憶させる例を挙げて説明したが、これに限定されない。例えば、設定記憶部６８に「洗浄タンクに貯留される水の入れ替えを禁止する時間帯（入替禁止時間帯）」を記憶させ、第２判定部６２に現在の時間が入替禁止時間帯に属していないことを判定させてもよい。この場合であっても、結果的に現在の時間が予め設定された入替許可時間帯に属するか否かを判定することができる。そして、入替制御部６６は、現在の時間が入替禁止時間帯に属していると判定された場合、洗浄タンク９内の洗浄水の入れ替えを実施しないようにし、現在の時間が入替禁止時間帯に属していないと判定された場合、洗浄タンク９内の洗浄水の入れ替えを実施してもよい。
【００９３】
上記実施形態及び変形例では、排水部の例として、マイコン６０の制御によって弁の開閉がなされる排水用電磁弁５２を例に挙げて説明したが、これに限定されるものではなく、排水用電磁弁５２の代わりに例えば、排水ポンプを設ける構成としてもよい。
【００９４】
上記実施形態及び変形例では、洗浄水の入替制御において、洗浄タンク９に貯留されている全ての洗浄水を入れ替える例を挙げて説明したが、例えば、洗浄タンク９に貯留可能な水量の半分程度の水量（ただし、１サイクル運転での排水量よりは多い水量）を入れ替えられるようにしても調整可能な構成としてもよい。このような構成とすれば、例えば、食器洗浄機１が配備された店舗等の残り営業時間が短い時など、わざわざ洗浄タンク９内の水を全て入れ替える必要がない状況において洗浄水の入れ替えを実施する際に有効である。
【００９５】
また、洗浄タンク９に貯留可能な水量の半分程度の水量を入れ替えるような初期設定としてもよい。この場合、上記実施形態で設定された第１規定値（１００回）及び第２規定値（１５０回）の設定値を、それぞれ５０回、７５回など小さな値に設定し、入替頻度が高くなるようにすることが好ましい。このような設定とすれば、一回の入れ替えに要する時間を短くすることができると共に、上記実施形態及び変形例と同様の洗浄能力を維持することができる。
【００９６】
上記実施形態及び変形例では、所定の条件を満たした場合に、入替制御部６６が、洗浄タンク９に貯留されている洗浄水の入れ替えを実施する（図３に示すＳ１２参照）例を挙げて説明したが、本発明はこれに限定されない。入替制御部６６は、所定の条件を満たした場合に、洗浄タンク９に貯留されている洗浄水を排出のみを実施して、洗浄タンク９への洗浄水の供給は、例えば、操作パネルによって洗浄水の供給が操作された場合、又は予め設定された時間になったら実施するようにしてもよい。
【００９７】
上記実施形態及び変形例では、いわゆるドア型食器洗浄機を例に挙げて説明したが、本願発明は、食器Ｄを収容するためのラックを搬送しながら洗浄を行うコンベアタイプの食器洗浄機に適用することも可能である。
【００９８】
本発明は、上記実施形態及びその他の変形例として記載の内容を適宜組み合わせてもよい。
【符号の説明】
【００９９】
１…食器洗浄機（洗浄機）、３…操作パネル（設定入力部）、９…洗浄タンク、１４…洗浄ポンプ、２５…濯ぎポンプ（給水部）、５２…排水用電磁弁（排水部）、５３…排水管、６０…マイコン、６１…第１判定部、６２…第２判定部、６３…第３判定部、６４…第４判定部、６６…入替制御部（制御部）、６７…積算部、６８…設定記憶部、６９…タイマ部、７０…報知部。
【図１】
0006498029.tif 000002
【図２】
0006498029.tif 000003
【図３】
0006498029.tif 000004
【図４】
0006498029.tif 000005